(57)【要約】【課題】低コストで製造可能であり、信頼性が高められた、収納庫のスペースを広く確保可能な紙葉類処理装置を提供することである。【解決手段】提案する紙葉類処理装置は、紙葉類が１つの開口を通して投入または放出される投出部１と、投入された紙葉類を前記開口を通して装置内部に繰り出すとともに、装置内部からの紙葉類を投出部１に前記開口を通して放出すべく繰り出す繰り出し部２と、紙葉類の真贋を鑑別する鑑別部３と、紙葉類が１つの開口を通して収納または繰り出される複数の収納庫１１−１、１１−２、１１−３、１１−４、１２−１、１２−２と、前記各部間で紙葉類を搬送する搬送部と、を有する。【選択図】図１
2010231482.tif 000002
【特許請求の範囲】
【請求項１】
紙葉類が１つの開口を通して投入または放出される投出部と、
投入された紙葉類を前記開口を通して装置内部に繰り出すとともに、装置内部からの紙葉類を前記投出部に前記開口を通して放出すべく繰り出す繰り出し部と、
紙葉類の真贋を鑑別する鑑別部と、
紙葉類が１つの開口を通して収納または繰り出される複数の収納庫と、
前記各部間で紙葉類を搬送する搬送部と、を有し、
前記複数の収納庫は、同じあるいは略同じ高さ、幅、奥行きで奥行き方向に配列され、各収納庫の上面に前記１つの開口がそれぞれ設けられ、
前記投出部、前記繰り出し部および前記鑑別部が前記複数の収納庫の上側に設けられたことを特徴とする紙葉類処理装置。
【請求項２】
入金時に、前記鑑別部により真であると鑑別された紙葉類が１つの開口を通して収納または繰り出される一時保留部をさらに有することを特徴とする請求項１記載の紙葉類処理装置。
【発明の詳細な説明】
【技術分野】
【０００１】
本発明は、顧客による操作により紙葉類の入出金処理等を行なう紙葉類処理装置に関する。
【背景技術】
【０００２】
従来の紙葉類処理装置は、顧客による操作に基づいて、入金取引、出金取引等の各種取引を行なうものである。ここでは、特許文献１および２に示される装置と同様の構造を有する紙葉類処理装置につき、各部の説明およびその入出金時の動作を図１５〜図２３を参照して説明する。
【０００３】
図１５は、従来の紙葉類処理装置の側面図である。
図１５において、投出部１０１には入金時に紙葉類（以下、“紙幣”と呼ぶこともある）が投入されて、繰り出し部（不図示）により装置内部の搬送路上にその紙幣が下側開口１２１を通して繰り出される。また、投出部１０１には出金時に装置内部の搬送路から繰り出し部により上側開口１２２を通して紙幣が繰り出される。
【０００４】
鑑別部１０３において、入金時や出金時に紙幣が正常券であるか不良券(折れ,切れ等)，偽券であるかが鑑別される。
入金時に鑑別部１０３において正常券であると鑑別された紙幣は、顧客による確認指示を待つために、一時保留部（エスクロー）１０４に上側開口１２４を通して一時的に収納される。
【０００５】
入金時に鑑別部１０３において正常券であると鑑別された紙幣は、顧客による確認指示がＯＫとなったときに、一時保留部１０４の下側開口１２３を通して鑑別部１０３まで再度搬送され、鑑別部１０３においてリサイクルに適するかどうかが鑑別される。このとき鑑別部１０３においてリサイクルに不適と鑑別された紙幣は、リジェクト部１０６−１あるいはリジェクト部１０６−２に収納される。
【０００６】
入金時に鑑別部１０３において正常券であると鑑別された紙幣は、顧客による確認指示がＯＫとなったときに、一時保留部１０４の下側開口１２３を通して鑑別部１０３まで再度搬送され、鑑別部１０３においてリサイクルに適するかどうかが鑑別される。このときリサイクルに適すると鑑別された紙幣は、収納庫に収納される。
【０００７】
図１５の紙葉類処理装置は５台の紙葉類収納庫を有し、前面側（図１５では右側）の３台の紙葉類収納庫１１１−１、１１１−２、１１１−３と、後面側（図１５では左側）の２台の紙葉類収納庫１１２−１、１１２−２とでは、後面側の２台の方が、高さ、奥行き、幅が大きい。そして、後面側の２台の紙葉類収納庫１１２−１、１１２−２は内部にリジェクト部（不図示）を含んでいて、後面に設けられたホルダを引き出すことでで、後方に引き出され、装置本体に対し着脱可能である。
【０００８】
収納時に紙葉類収納庫１１１−１、１１１−２、１１１−３内に収納させた紙幣は、収納庫の上下方向に移動可能なステージ（不図示）上に落下する。このステージは例えば内部に収納している紙幣枚数が少ないときほど、上方の位置に固定される。
【０００９】
また、収納時に紙葉類収納庫１１２−１、１１２−２内に収納された紙幣は、収納庫底部に落下する。すなわち、紙葉類収納庫１１２−１、１１２−２では、紙幣が下部から堆積している。
【００１０】
紙葉類収納庫１１１−１、１１１−２、１１１−３には、紙幣を収納する場合と、紙幣を搬送路上に送出する場合で、双方向に紙幣を繰り出すことが可能な繰り出し部（不図示）を有し、それぞれ１つの出入口（上部開口１２５−１、１２５−２、１２５−３）を持つ。
【００１１】
紙葉類収納庫１１２−１、１１２−２には、紙幣を収納する場合の上部開口１２６−１、１２６−２と、紙幣を搬送路上に送出する場合の下部開口１２８−１、１２８−２を有する。なお、紙葉類収納庫１１２−１、１１２−２の有するもう１つの上部開口１２７−１、１２７−２はそれぞれ内部のリジェクト部に通じている。
【００１２】
続いて、従来の紙葉類処理装置の入金時および出金時の動作につき説明する。
始めに、入金時の動作を説明する。
顧客により行われた入金指示に対応して、シャッタ（不図示）が開き、投出部１０１に対する紙幣挿入待ち状態となる。
【００１３】
顧客が紙幣を投出部１０１に投入すると、紙幣が投入されたことが確認（検出）され、シャッタが閉じる。そして、投入された紙幣を下側開口１２１の近くに設けられた繰り出し部の位置まで押圧部材等（不図示）により移動させ、繰り出し部により装置内部の搬送路上に紙幣が繰り出される。この際、紙幣は、図１６に示すような搬送路１４０を通って、投出部１０１から鑑別部１０３まで搬送される。
【００１４】
鑑別部１０３において、紙幣が正常券であるかどうかが鑑別される。
鑑別部１０３により正常券ではない、すなわち、不良券(折れ,切れ等)，偽券であると鑑別された紙幣は、図１７に示すような搬送路１４１を通って、鑑別部１０３から投出部１０１まで搬送される。そして、上部開口１２２を通して投出部１０１に放出されて、顧客に返却される。
【００１５】
鑑別部１０３により正常券と鑑別された紙幣は、図１８に示すような搬送路１４２を通って、鑑別部１０３から一時保留部（エスクロー）１０４まで搬送される。そして、顧客による確認指示を待つために、一時保留部１０４に一時的に収納される。このとき、顧客に対し入金金額の確認を促す画面（不図示）が表示される。
【００１６】
この状態で、顧客による確認指示がキャンセルとなると、紙幣が一時保留部１０４から投出部１０１まで搬送されて、その投出部１０１を通して顧客に返却される。
一方、この状態で、顧客による確認指示がＯＫとなると、一時保留部１０４の下部開口１２３の位置に入金金額に対応する１枚あるいは複数枚の紙幣が移動され、その下部開口１２３の近くに設けられた繰り出し部（不図示）により、一時保留部１０４から入金金額に対応する紙幣が１枚ずつ搬送路上に繰り出され、図１９に示すような搬送路１４３を通って、一時保留部１０４から再度鑑別部１０３まで搬送される。そして、鑑別部１０３において各紙幣がリサイクルに適するかどうかが鑑別される。
【００１７】
鑑別部１０３による鑑別においてリサイクルに適すると鑑別された紙幣は、図２０に示すような、鑑別部１０３の出口側を出て上行し、Ｕターンして下行し、その後全体として装置前面に向かう搬送路１４４を通って、収納庫１１１−１、１１１−２、１１１−３、１１２−１、１１２−２のうちのいずれかの収納庫に収納される。
【００１８】
一方、鑑別部１０３による鑑別においてリサイクルに不適と鑑別された紙幣は、図２１に示すような搬送路１４５を通って、鑑別部１０３からいずれかのリジェクト部まで搬送され、該当するリジェクト部（リジェクト部１０６−１あるいは１０６−２）に収納される。
【００１９】
続いて、出金時の動作を説明する。
顧客により行われた出金指示に対応して、いずれかの収納庫から紙幣が繰り出され、鑑別部１０３まで搬送される。収納庫１１１−１、１１１−２、１１１−３のいずれかから紙幣が繰り出される場合は、図２２に示すような搬送路１４６−１を通って、各収納庫から鑑別部１０３まで紙幣は搬送される。収納庫１１２−１、１１２−２のいずれかから紙幣が繰り出される場合は、その収納庫１１２−１、１１２−２の下部開口１２８−１、１２８−２から繰り出された紙幣は、図２３に示すような、装置底部において装置前面にまず向かい、その後上行して前方にある収納庫１１１−１等の上側に達してから装置後面に向かう搬送路１４６−２を通って、各収納庫から鑑別部１０３まで搬送される。
【００２０】
鑑別部１０３において、その紙幣が正常券であるかどうかが鑑別される。
鑑別部１０３により不良券(折れ,切れ等)，偽券と鑑別された紙幣は、図２１に示すような搬送路１４５を通って、鑑別部１０３からいずれかのリジェクト部まで搬送され、該当するリジェクト部（リジェクト部１０６−１あるいは１０６−２）に収納される。
【００２１】
鑑別部１０３により正常券と鑑別された紙幣は、図１７に示すような搬送路１４１を通って、鑑別部１０３から投出部１０１まで搬送され、投出部１０１に放出され、顧客による紙幣抜き取り待ち状態となる。
【００２２】
従来の紙葉類処理装置の動作については以上説明した通りだが、図１５以降の各図から明らかなように、収納庫１１２−１、１１２−２は、上部開口１２６−１、１２６−２から紙幣を収納し、下部開口１２８−１、１２８−２から紙幣を繰り出す構造を有している。そして、このことに起因し、出金時に、下部開口１２８−１、１２８−２から鑑別部１０３に向かう搬送路１４６−２は、図２３に示したように、装置底部において装置前面にまず向かい、その後上行して前方にある収納庫１１１−１等の上側に達してから装置後面に向かって鑑別部１０３に達する。
【００２３】
このため、装置内部の搬送路の全長が長くなり、そのことに伴い、ジャムなどの障害の発生率の増加、搬送機構を構成する部品点数の増大に伴うコストアップ、収納庫に割り当てることができるスペースの減少などの問題が発生している。
【００２４】
なお、この他に関連技術として、特許文献３では、ジャム紙幣回収用切替えゲートの近くの搬送路を順方向と逆方向の双方向に駆動可能とすることで、ジャムなどの障害が発生しても自動復旧させ、障害の発生率を下げることを可能とした紙葉類取扱い装置が示されている。
【先行技術文献】
【特許文献】
【００２５】
【特許文献１】特許第３２６０１４１号公報
【特許文献２】特許第３７５４６２０号公報
【特許文献３】特公平８−５５６６号公報
【発明の概要】
【発明が解決しようとする課題】
【００２６】
本発明は、以上の問題点を考慮してなされたものであり、低コストで製造可能であり、信頼性が高められた、収納庫のスペースを広く確保可能な紙葉類処理装置を提供することを目的とする。
【課題を解決するための手段】
【００２７】
提案する紙葉類処理装置は、紙葉類が１つの開口を通して投入または放出される投出部と、投入された紙葉類を前記開口を通して装置内部に繰り出すとともに、装置内部からの紙葉類を前記投出部に前記開口を通して放出すべく繰り出す繰り出し部と、紙葉類の真贋を鑑別する鑑別部と、紙葉類が１つの開口を通して収納または繰り出される複数の収納庫と、前記各部間で紙葉類を搬送する搬送部と、を有する。そして、前記複数の収納庫は、同じあるいは略同じ高さ、幅、奥行きで奥行き方向に配列され、各収納庫の上面に前記１つの開口がそれぞれ設けられ、前記投出部、前記繰り出し部および前記鑑別部が前記複数の収納庫の上側に設けられたものである。
【００２８】
また、前記構成において、入金時に、前記鑑別部により真であると鑑別された紙葉類が１つの開口を通して収納または繰り出される一時保留部をさらに有してもよい。
【発明の効果】
【００２９】
提案する紙葉類処理装置では、複数の収納庫を同じあるいは略同じ高さ、幅、奥行きで奥行き方向に配列し、それぞれの上面に１つの開口を設け、その開口を通して紙葉類収納または繰り出している。収納庫上面は、投出部、鑑別部等の各部が設けられた側であるため、各部の開口を寄せて装置内部に設けることができ、各部間をつなぐ搬送路の全長を短くすることができる。よって、ジャムなどの障害の発生率を減少させて信頼性を高め、搬送機構を構成する部品点数を減少させてコストを削減することができる。また、投出部を１つの開口を通して紙葉類を投入または放出する構成としたので、投出部の繰り出し部を構成する部品点数を減少させてコストを一層削減することができる。
【００３０】
また、提案する紙葉類処理装置では、複数の収納庫を同じあるいは略同じ高さ、幅、奥行きで奥行き方向に配列し、それぞれの上面に１つの開口を設けたので、従来の紙葉類処理装置と比較して、各収納庫の底部を装置前面に向かい、その後上行する搬送路が必要なくなった。よって、収納庫のスペースを広く確保することができ、収納庫に冗長性を持たせることができる。
【００３１】
また、提案する紙葉類処理装置において、紙葉類が１つの開口を通して収納または繰り出される一時保留部をさらに有する場合は、一時保留部の繰り出し部を構成する部品点数を減少させてコストを一層削減することができる。
【図面の簡単な説明】
【００３２】
【図１】本発明の一実施形態に係る紙葉類処理装置の側面図である。
【図２】入金一次動作のフローチャートである。
【図３】入金二次動作のフローチャートである。
【図４】出金動作のフローチャートである。
【図５】本実施形態の紙葉類処理装置における投出部から鑑別部までの紙幣の搬送路を示した図である。
【図６】本実施形態の紙葉類処理装置における鑑別部から返却券保留部までの紙幣の搬送路を示した図である。
【図７】本実施形態の紙葉類処理装置における鑑別部から一時保留部までの紙幣の搬送路を示した図である。
【図８】本実施形態の紙葉類処理装置における一時保留部から鑑別部までの紙幣の搬送路を示した図である。
【図９】本実施形態の紙葉類処理装置における鑑別部から収納庫までの紙幣の搬送路（その１）を示した図である。
【図１０】本実施形態の紙葉類処理装置における鑑別部から収納庫までの紙幣の搬送路（その２）を示した図である。
【図１１】本実施形態の紙葉類処理装置における鑑別部からリジェクト部までの紙幣の搬送路を示した図である。
【図１２】本実施形態の紙葉類処理装置における収納庫から鑑別部までの紙幣の搬送路（その１）を示した図である。
【図１３】本実施形態の紙葉類処理装置における収納庫から鑑別部までの紙幣の搬送路（その２）を示した図である。
【図１４】本実施形態の紙葉類処理装置における鑑別部から投出部までの紙幣の搬送路を示した図である。
【図１５】従来の紙葉類処理装置の側面図である。
【図１６】従来の紙葉類処理装置における投出部から鑑別部までの紙幣の搬送路を示した図である。
【図１７】従来の紙葉類処理装置における鑑別部から投出部までの紙幣の搬送路を示した図である。
【図１８】従来の紙葉類処理装置における鑑別部から一時保留部までの紙幣の搬送路を示した図である。
【図１９】従来の紙葉類処理装置における一時保留部から鑑別部までの紙幣の搬送路を示した図である。
【図２０】従来の紙葉類処理装置における鑑別部から収納庫までの紙幣の搬送路を示した図である。
【図２１】従来の紙葉類処理装置における鑑別部からリジェクト部までの紙幣の搬送路を示した図である。
【図２２】従来の紙葉類処理装置における収納庫から鑑別部までの紙幣の搬送路（その１）を示した図である。
【図２３】従来の紙葉類処理装置における収納庫から鑑別部までの紙幣の搬送路（その２）を示した図である。
【発明を実施するための形態】
【００３３】
以下図面に基づいて、本発明の実施形態について詳細を説明する。
図１は、本発明の一実施形態に係る紙葉類処理装置の側面図である。
図１において、投出部１には入金時に紙幣が投入されて、繰り出し部２により装置内部の搬送路上にその紙幣が繰り出される。また、投出部１には出金時に装置内部の搬送路から繰り出し部２により紙幣が繰り出される。すなわち、投出部１は装置内部との間に１つの出入口しか持たず、繰り出し部２は紙幣を双方向に繰り出すことが可能な機構である。
【００３４】
鑑別部３において、入金時や出金時に紙幣が正常券であるか不良券(折れ,切れ等)，偽券であるかが鑑別される。
入金時に鑑別部３において正常券であると鑑別された紙幣は、顧客による確認指示を待つために、一時保留部（エスクロー）４に一時的に収納される。一時保留部４にも紙幣を双方向に繰り出すことが可能な繰り出し部５が設けられている。
【００３５】
入金時に鑑別部３において正常券であると鑑別された紙幣は、顧客による確認指示がＯＫとなったときに、再度鑑別部３に搬送され、鑑別部３においてリサイクルに適するかどうかが鑑別される。この鑑別部３での鑑別においてリサイクルに不適と鑑別された紙幣、および、出金時に鑑別部３で不良券(折れ,切れ)，偽券であると鑑別された紙幣は、リジェクト部６−１あるいは６−２に収納される。リジェクト部６−１、６−２は、紙幣の繰り込み機構７−１、７−２、ゲート２４−１、２４−２をそれぞれ有する。
【００３６】
また、この鑑別部３での鑑別においてリサイクルに適すると鑑別された紙幣は、いずれかの収納庫に収納される。
入金時に鑑別部３において不良券(折れ,切れ)，偽券であると鑑別された紙幣は、返却券保留部８に収納されて、その返却券保留部８を経由して投出部１に返却される。
【００３７】
図１の紙葉類処理装置は６台の紙葉類収納庫を有し、前面側の４台の紙葉類収納庫１１−１、１１−２、１１−３、１１−４と、後面側の２台の紙葉類収納庫１２−１、１２−２とは、高さ、奥行き、幅が同じあるいは略同じであるが、後面側の２台の紙葉類収納庫１２−１、１２−２のみが本実施形態では、内部にリジェクト部１６−１、１６−２を含んでいる。なお、６台の紙葉類収納庫は不図示の案内レール上に載置されており、後面に設けられたホルダを引き出すことで、後方に一体となって引き出される。この６台の紙葉類収納庫はいずれも装置本体に対し着脱可能である。
【００３８】
紙葉類収納庫１１−１には、紙幣を収納する場合と、紙幣を搬送路上に送出するときとで、双方向に紙幣を繰り出すことが可能な繰り出し部１３−１を有する。また、紙葉類収納庫１１−１は、紙幣収納時や紙幣送出時に、中心の周りを回転することで、収納や送出を行うための必要な位置に移動するゲート２１−１、２５−１を有する。
【００３９】
紙葉類収納庫１１−２には、紙幣を収納する場合と、紙幣を搬送路上に送出するときとで、双方向に紙幣を繰り出すことが可能な繰り出し部１３−２を有する。また、紙葉類収納庫１１−２は、紙幣収納時や紙幣送出時に、中心の周りを回転することで、収納や送出を行うための必要な位置に移動するゲート２１−２、２５−２を有する。
【００４０】
紙葉類収納庫１１−３には、紙幣を収納する場合と、紙幣を搬送路上に送出するときとで、双方向に紙幣を繰り出すことが可能な繰り出し部１３−３を有する。また、紙葉類収納庫１１−３は、紙幣収納時や紙幣送出時に、中心の周りを回転することで、収納や送出を行うための必要な位置に移動するゲート２１−３、２５−３を有する。
【００４１】
紙葉類収納庫１１−４には、紙幣を収納する場合と、紙幣を搬送路上に送出するときとで、双方向に紙幣を繰り出すことが可能な繰り出し部１３−４を有する。また、紙葉類収納庫１１−４は、紙幣収納時や紙幣送出時に、中心の周りを回転することで、収納や送出を行うための必要な位置に移動するゲート２１−４、２５−４を有する。
【００４２】
紙葉類収納庫１２−１には、紙幣を収納する場合と、紙幣を搬送路上に送出するときとで、双方向に紙幣を繰り出すことが可能な繰り出し部１５−１を有するとともに、紙幣収納時や紙幣送出時に、中心の周りを回転することで、収納や送出を行うための必要な位置に移動するゲート２２−１、２７−１を有する。また、紙葉類収納庫１２−１は、内部にリジェクト部１６−１と、リジェクト部１６−１への紙幣収納時に繰り出しを行う繰り出し部１８−１と、ゲート２３−１とを有する。
【００４３】
紙葉類収納庫１２−２には、紙幣を収納する場合と、紙幣を搬送路上に送出するときとで、双方向に紙幣を繰り出すことが可能な繰り出し部１５−２を有するとともに、紙幣収納時や紙幣送出時に、中心の周りを回転することで、収納や送出を行うための必要な位置に移動するゲート２２−２、２７−２を有する。また、紙葉類収納庫１２−２は、内部にリジェクト部１６−２と、リジェクト部１６−２への紙幣収納時に繰り出しを行う繰り出し部１８−２と、ゲート２３−２とを有する。
【００４４】
収納時に紙葉類収納庫１１−１〜１１−４，１２−１〜１２−２内に繰り出された紙幣は、それぞれの収納庫の上下方向に移動可能なステージ１７−１〜１７−４，１９−１〜１９−２上に落下する。このステージは例えば内部に収納している紙幣枚数が少ないときほど、上方の位置に固定される。
【００４５】
上記した以外のガイドとして、ゲート３３は、投出部１側からの紙幣を鑑別部３に導くか、あるいは、リジェクト部６−１、６−２に導くか（あるいは、リジェクト部６−１、６−２を通過して収納庫１２−１、１２−２に導くか）を中心の周りを回転して位置を変えることにより決定する。
【００４６】
ゲート３２は、投出部１側や一時保留部４側からの紙幣を鑑別部３側にスルーさせるように導くか、あるいは、収納庫側からの紙幣を投出部１に導くかを中心の周りを回転して位置を変えることにより決定する。
【００４７】
ゲート３１は、鑑別部３の出口側からの紙幣を返却券保留部８に導くか、あるいは、搬送路上を収納庫の方に向かうべくスルーさせるかを中心の周りを回転して位置を変えることにより決定する。
【００４８】
ゲート２８は、鑑別部３の出口側からの紙幣を一時保留部４側に導くか、あるいは、搬送路上を収納庫の方に向かうべくスルーさせるかを中心の周りを回転して位置を変えることにより決定する。
【００４９】
ゲート２６は、ゲート２８によって一時保留部４側に導かれた紙幣を、一時保留部４に導くか、あるいは、一時保留部４をスルーさせるかを中心の周りを回転して位置を変えることにより決定する。
【００５０】
図２は、入金一次動作のフローチャートである。
図２のステップＳ１で、顧客により行われた入金指示に対応して、シャッタ（不図示）がオープンし、投出部１に対する紙幣挿入待ち状態となる。
【００５１】
顧客が紙幣を投出部１に投入すると、続く、ステップＳ２で、紙幣が投入されたことが確認（検出）され、シャッタが閉じる。そして、投入された紙幣の長さが正常かどうかが判定される。
【００５２】
ステップＳ２で紙幣の長さが異常であると判定された場合、ステップＳ３で、その長さが異常と判定された紙幣が顧客に投出部１を通して返却され、一連の動作が終了する。
ステップＳ２で紙幣の長さが正常であると判定された場合、ステップＳ５で、その紙幣を繰り出し部２の位置まで取り込み、ステップＳ６で、繰り出し部２により装置内部の搬送路上にその紙幣が繰り出される。この際、その紙幣は、図５に示すような搬送路４０を通って、投出部１から鑑別部３まで搬送される。
【００５３】
続くステップＳ７で、鑑別部３において、その紙幣が正常券であるかどうかが鑑別される。
ステップＳ７で鑑別部３により不良券(折れ,切れ)，偽券と鑑別された紙幣は、図６に示すような搬送路４１を通って、鑑別部３から返却券保留部８まで搬送される。そして、返却券保留部８に収納されて、ステップＳ８でその返却券保留部８を経由して投出部１にその紙幣が繰り出され、顧客に返却される。
【００５４】
続く、ステップＳ９では、装置は再度紙幣の挿入待ち状態となる。すなわち、フロー上ステップＳ２に戻ることになる。なお、ステップＳ９の挿入待ち状態から顧客がキャンセル指示を行った場合は、一連の動作が終了する。
【００５５】
ステップＳ７で鑑別部３により正常券と鑑別された紙幣は、図７に示すような搬送路４２を通って、鑑別部３から一時保留部（エスクロー）４まで搬送される。そして、顧客による確認指示を待つために、一時保留部４に一時的に収納される。このとき、ステップＳ１１で、顧客に対し入金金額の確認を促す画面（不図示）が表示される。
【００５６】
この状態で、ステップＳ１２で顧客による確認指示がＯＫとなると、図３に示す入金二次動作に制御が移ることになる。
一方、この状態で、ステップＳ１３で顧客による確認指示がキャンセルとなると、紙幣が一時保留部４から投出部１まで搬送されて、その投出部１を通して顧客に返却される。そして、一連の動作が終了する。
【００５７】
図３は、入金二次動作のフローチャートである。このフローチャートの動作は、入金時に鑑別部３において正常券であると鑑別された紙幣であり、一時保留部４において顧客による確認指示がＯＫとなった入金金額に対応する１枚あるいは複数枚の紙幣に対して行われる。
【００５８】
一時保留部４において顧客による確認指示がＯＫとなったときに、図３のステップＳ２１で、一時保留部４の繰り出し部５の位置に入金金額に対応する１枚あるいは複数枚の紙幣が移動され、ステップＳ２２で、繰り出し部５により、一時保留部４から入金金額に対応する紙幣が１枚ずつ搬送路上に繰り出され、図８に示すような搬送路４３を通って、一時保留部４から再度鑑別部３まで搬送される。そして、鑑別部３において各紙幣がリサイクルに適するかどうかが鑑別される。
【００５９】
鑑別部３による鑑別においてステップＳ２３でリサイクルに適すると鑑別された紙幣は、いずれかの収納庫に収納される。収納庫１１−１、１１−２、１１−３、１１−４のいずれかが収納先である場合は、図９に示すような搬送路４４−１を通って、鑑別部３から各収納庫まで搬送され収納される。収納庫１２−１、１２−２のいずれかが収納先である場合は、図１０に示すような搬送路４４−２を通って、鑑別部３から各収納庫まで搬送され収納される。
【００６０】
一方、鑑別部３による鑑別においてステップＳ２４でリサイクルに不適と鑑別された紙幣は、図１１に示すような搬送路４５を通って、鑑別部３からいずれかのリジェクト部まで搬送され、該当するリジェクト部（リジェクト部６−１あるいは６−２）に収納される。そして、一連の動作を終了する。
【００６１】
図４は、出金動作のフローチャートである。
図４のステップＳ３１で、顧客により行われた出金指示に対応して、いずれかの収納庫から紙幣が繰り出され、鑑別部３まで搬送される。収納庫１１−１、１１−２、１１−３、１１−４のいずれかから紙幣が繰り出される場合は、図１２に示すような搬送路４６−１を通って、各収納庫から鑑別部３まで紙幣は搬送される。収納庫１２−１、１２−２のいずれかから紙幣が繰り出される場合は、図１３に示すような搬送路４６−２を通って、各収納庫から鑑別部３まで紙幣は搬送される。
【００６２】
続く、ステップＳ３２において、鑑別部３において、その紙幣が正常券であるかどうかが鑑別される。
ステップＳ３２で鑑別部３により不良券(折れ,切れ)，偽券と鑑別された紙幣は、図１１に示すような搬送路４５を通って、鑑別部３からいずれかのリジェクト部まで搬送され、該当するリジェクト部（リジェクト部６−１あるいは６−２）に収納される。
【００６３】
ステップＳ３２で鑑別部３により正常券と鑑別された紙幣は、図１４に示すような搬送路４７を通って、鑑別部３から投出部１まで搬送され、ステップＳ３３で投出部１に収納される。
【００６４】
そして、続く、ステップＳ３４で、シャッタ（不図示）がオープンし、投出部１に対する紙幣抜き取り待ち状態となる。
この状態で一定時間内に紙幣が抜き取られた場合は直ちに一連の動作を終了する。
【００６５】
この状態で一定時間経過後も紙幣が抜き取られなかった場合はステップＳ３５で媒体（ここでは紙幣）の取り忘れ取り込みが行なわれ、一連の動作を終了する。
【符号の説明】
【００６６】
１、１０１  投出部
２、５、１３−１、１３−２、１３−３、１３−４、１５−１、１５−２  （双方向の）繰り出し部
３、１０３  鑑別部
４、１０４  一時保留部
６−１、６−２、１０６−１、１０６−２  リジェクト部
７−１、７−２、１８−１、１８−２  繰り出し部
８  返却券保留部
１１−１、１１−２、１１−３、１１−４、１２−１、１２−２、１１１−１、１１１−２、１１１−３、１１２−１、１１２−２  紙葉類収納庫
１６−１、１６−２  収納庫内リジェクト部
１７−１、１７−２、１７−３、１７−４、１９−１、１９−２  ステージ
２１−１、２１−２、２１−３、２１−４、２２−１、２２−２、２３−１、２３−２、２４−１、２４−２、２５−１、２５−２、２５−３、２５−４、２６、２７−１、２７−２、２８、３１、３２、３３  ゲート
１２１、１２３、１２８−１、１２８−２  下部開口
１２２、１２４、１２５−１、１２５−２、１２５−３、１２７−１、１２７−２  上部開口
４０、４１、４２、４３、４４−１、４４−２、４５、４６−１、４６−２、４７、１４０、１４１、１４２、１４３、１４４、１４５、１４６−１、１４６−２  搬送路
【図２】
2010231482.tif 000003
【図３】
2010231482.tif 000004
【図４】
2010231482.tif 000005
【図１】
2010231482.tif 000006
【図５】
2010231482.tif 000007
【図６】
2010231482.tif 000008
【図７】
2010231482.tif 000009
【図８】
2010231482.tif 000010
【図９】
2010231482.tif 000011
【図１０】
2010231482.tif 000012
【図１１】
2010231482.tif 000013
【図１２】
2010231482.tif 000014
【図１３】
2010231482.tif 000015
【図１４】
2010231482.tif 000016
【図１５】
2010231482.tif 000017
【図１６】
2010231482.tif 000018
【図１７】
2010231482.tif 000019
【図１８】
2010231482.tif 000020
【図１９】
2010231482.tif 000021
【図２０】
2010231482.tif 000022
【図２１】
2010231482.tif 000023
【図２２】
2010231482.tif 000024
【図２３】
2010231482.tif 000025